【手続補正書】
【提出日】平成16年1月21日(2004.1.21)
【手続補正１】
【補正対象書類名】明細書
【補正対象項目名】発明の名称
【補正方法】変更
【補正の内容】
【発明の名称】締結構造体
【手続補正２】
【補正対象書類名】明細書
【補正対象項目名】特許請求の範囲
【補正方法】変更
【補正の内容】
【特許請求の範囲】
【請求項１】
第１の部材と第２の部材とがテーパコマを用いてねじにより締結された構造体において、
第１の直径の拡大側端部と前記第１の直径よりも小さい第２の直径の縮小側端部を持つ円錐台形状のテーパ部と、前記テーパ部の拡大側端部に、前記テーパ部の中心軸方向に対しておよそ直交する方向に突出するよう形成された突部と、前記テーパ部の少なくとも縮小側端部に開口し、前記テーパ部の中心軸方向に延びている第１の孔であって、壁面に雌ねじが形成されている第１の孔とを備えたテーパコマと、
一方の表面に開口し、前記テーパコマの前記突部の直径より大きい第３の直径を持つ円柱形状の孔段部と、前記第３の直径よりも小さい第４の直径の拡大開口部と、前記第４の直径より小さい第５の直径の縮小開口部を持つ円錐台形状をなす孔テーパ部とを備える第２の孔が形成され、前記孔段部の底に位置し、前記孔段部の中心軸におよそ直行する環状の面を持つ段部であって前記孔テーパ部の前記拡大開口部が開口している段部を備える前記第１の部材と、
第３の孔が形成され、前記第１の部材の前記孔段部が開口する面とは反対の面に対向して配置された前記第２の部材と、
前記第２の部材の前記第３の孔を通して前記第１の部材の前記第２の孔に挿入されるボルトとを有し、
前記第１の部材の前記孔テーパ部のテーパの値が前記テーパ部のテーパの値と同じであり、前記第４の直径が前記第１の直径よりも小さく、前記孔テーパ部に前記テーパ部が挿入されたときの締まりばめ代の値が前記第１の直径の２〜２０％の値であり、
前記テーパコマは、前記テーパ部の縮小側端部側から前記第２の孔に挿入され、前記テーパ部の側面と前記孔テーパ部の壁面とが接触し、前記突部の下面と前記段部の面とが接触し、前記テーパ部の側面と前記孔テーパ部の壁面との間に生じる摩擦力により前記第２の孔内に前記テーパコマが固定されており；
前記ボルト先端に形成されたねじ部が前記雌ねじに締め付けられて、前記第１の部材と前記第２の部材が締結されていることを特徴とする締結構造体。
【請求項２】
請求項１記載の締結構造体において、
前記テーパコマは、前記第１の部材と同等の硬さの材料またはそれより硬い材料からなることを特徴とする締結構造体。
【請求項３】
請求項１記載の締結構造体において、
前記テーパコマの形状は、前記テーパ部の前記第１の直径ｄ１が前記ボルトの外径ｄ０の１．１〜２倍、前記突部の直径ｄ２がｄ０＋（０．５〜３）ｍｍ、前記突部の厚さｔが０．５〜３ｍｍ、前記テーパコマの長さＬがｄ０×（１〜３）であることを特徴とする締結構造体。
【請求項４】
請求項１記載の締結構造体において、
前記第２の孔の前記孔テーパ部及び前記テーパコマの前記テーパ部のテーパの値が１／５０〜１／６であることを特徴とする締結構造体。
【請求項５】
請求項１記載の締結構造体において、
前記テーパコマの前記テーパ部の側面はなめらかで均一であり、
前記突部の下面は前記第２の孔に嵌着されたときに必要以上に前記第２の孔にもぐり込まないように機能することを特徴とする締結構造体。
【請求項６】
請求項２記載の締結構造体において、
前記テーパコマは、ステンレス鋼、アルミ、鉄鋼（ＳＳ材、炭素鋼、軽合金鋼、調質材（ＨＲＣ１５〜２５程度に焼入れ焼戻したもの））、りん青銅、黄銅、プラスチックの中から選ばれた少なくとも一種類の材質より成ることを特徴とする締結構造体。
【請求項７】
請求項１記載の締結構造体において、
前記突部の厚さの最高値は前記孔段部の高さの最高値よりも小さいことを特徴とする締結構造体。
【手続補正３】
【補正対象書類名】明細書
【補正対象項目名】０００１
【補正方法】変更
【補正の内容】
【０００１】
【発明の詳細な説明】
【発明の属する技術分野】
本発明は、締結構造体に関する。


【手続補正４】
【補正対象書類名】明細書
【補正対象項目名】０００６
【補正方法】変更
【補正の内容】
【０００６】
本発明の目的は、作業性のよい締結構造体を提供することにある。


【手続補正５】
【補正対象書類名】明細書
【補正対象項目名】０００７
【補正方法】変更
【補正の内容】
【０００７】
【課題を解決するための手段】
上記目的を達成するために、本発明は、第１の部材と第２の部材とがテーパコマを用いてねじにより締結された構造体において、第１の直径の拡大側端部と前記第１の直径よりも小さい第２の直径の縮小側端部を持つ円錐台形状のテーパ部と、前記テーパ部の拡大側端部に、前記テーパ部の中心軸方向に対しておよそ直交する方向に突出するよう形成された突部と、前記テーパ部の少なくとも縮小側端部に開口し、前記テーパ部の中心軸方向に延びている第１の孔であって、壁面に雌ねじが形成されている第１の孔とを備えたテーパコマと、一方の表面に開口し、前記テーパコマの前記突部の直径より大きい第３の直径を持つ円柱形状の孔段部と、前記第３の直径よりも小さい第４の直径の拡大開口部と、前記第４の直径より小さい第５の直径の縮小開口部を持つ円錐台形状をなす孔テーパ部とを備える第２の孔が形成され、前記孔段部の底に位置し、前記孔段部の中心軸におよそ直行する環状の面を持つ段部であって前記孔テーパ部の前記拡大開口部が開口している段部を備える前記第１の部材と、第３の孔が形成され、前記第１の部材の前記孔段部が開口する面とは反対の面に対向して配置された前記第２の部材と、前記第２の部材の前記第３の孔を通して前記第１の部材の前記第２の孔に挿入されるボルトとを有し、前記第１の部材の前記孔テーパ部のテーパの値が前記テーパ部のテーパの値と同じであり、前記第４の直径が前記第１の直径よりも小さく、前記孔テーパ部に前記テーパ部が挿入されたときの締まりばめ代の値が前記第１の直径の２〜２０％の値であり、前記テーパコマは、前記テーパ部の縮小側端部側から前記第２の孔に挿入され、前記テーパ部の側面と前記孔テーパ部の壁面とが接触し、前記突部の下面と前記段部の面とが接触し、前記テーパ部の側面と前記孔テーパ部の壁面との間に生じる摩擦力により前記第２の孔内に前記テーパコマが固定されており；前記ボルト先端に形成されたねじ部が前記雌ねじに締め付けられて、前記第１の部材と前記第２の部材が締結されているようにしたものであり、かかる構成により、容易にテーパコマを被締結部材に対して固定することができるため、作業性が向上し得るものとなる。


【手続補正６】
【補正対象書類名】明細書
【補正対象項目名】０００８
【補正方法】変更
【補正の内容】
【０００８】
上記締結構造体において、好ましくは、前記テーパコマは、前記第１の部材と同等の硬さの材料またはそれより硬い材料からなるものである。
【手続補正７】
【補正対象書類名】明細書
【補正対象項目名】０００９
【補正方法】変更
【補正の内容】
【０００９】
上記締結構造体において、好ましくは、前記テーパコマの形状は、前記テーパ部の前記第１の直径ｄ１が前記ボルトの外径ｄ０の１．１〜２倍、前記突部の直径ｄ２がｄ０＋（０．５〜３）ｍｍ、前記突部の厚さｔが０．５〜３ｍｍ、前記テーパコマの長さＬがｄ０×（１〜３）である。
【手続補正８】
【補正対象書類名】明細書
【補正対象項目名】００１０
【補正方法】変更
【補正の内容】
【００１０】
上記締結構造体において、好ましくは、前記第２の孔の前記孔テーパ部及び前記テーパコマの前記テーパ部のテーパの値が１／５０〜１／６である。
【手続補正９】
【補正対象書類名】明細書
【補正対象項目名】００１１
【補正方法】変更
【補正の内容】
【００１１】
上記締結構造体において、好ましくは、前記テーパコマの前記テーパ部の側面はなめらかで均一であり、前記突部の下面は前記第２の孔に嵌着されたときに必要以上に前記第２の孔にもぐり込まないように機能するものである。
【手続補正１０】
【補正対象書類名】明細書
【補正対象項目名】００１２
【補正方法】変更
【補正の内容】
【００１２】
上記締結構造体において、好ましくは、前記テーパコマは、ステンレス鋼、アルミ、鉄鋼（ＳＳ材、炭素鋼、軽合金鋼、調質材（ＨＲＣ１５〜２５程度に焼入れ焼戻したもの））、りん青銅、黄銅、プラスチックの中から選ばれた少なくとも一種類の材質より成るものである。
【手続補正１１】
【補正対象書類名】明細書
【補正対象項目名】００１３
【補正方法】変更
【補正の内容】
【００１３】
上記締結構造体において、好ましくは、前記突部の厚さの最高値は前記孔段部の高さの最高値よりも小さいものである。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】